(57)【特許請求の範囲】
【請求項１】
額縁のフレームに裏面に開口する蟻溝が形成され、その蟻溝に着脱可能に取り付けるプラスチック製の吊り具であって、額縁についてそれを卓上に立てるスタンド支持形態も取り得るように、額縁を後ろで支える支持棒を備えてなり、前記蟻溝に嵌入する掛止片に額縁の外周方向へ突出して吊り紐を掛け得る舌片が屈折して形成され、掛止片を蟻溝の外側開口縁片の先で垂下するとともに、先端部が反転して蟻溝の他側内面に接触する弾性変形可能な湾曲形状に形成し、その掛止片に外側面より突き出て蟻溝の外側開口縁片の下に引っ掛かる係合爪を設け、係合爪に円弧状に長く緩い下部逃げ角斜面と、短く急な上部逃げ角斜面を形成し、舌片に吊り紐を通す通し穴を設けるとともに、それを通しやすいよう大穴の上に小穴を有するダルマ形穴に形成し、少なくとも小穴について厚さ中間部が突条となるよう開き口を広く形成し、ダルマ形穴の頸部を突条からの突起により狭く形成し、吊り紐としてのボールチェーンのボールが納まるようにしてあって、さらに、掛止片の幅中央部に支持棒を取り付ける筒形の差込口を設けてあることを特徴とする額縁の吊り具。
【発明の詳細な説明】
【０００１】
【発明の属する技術分野】
この発明は、アルミ等の押出形材からなる額縁を壁に吊り紐で掛けるため、その連結部材としてフレームに着脱可能に取り付ける額縁の吊り具であるとともに、額縁を卓上に立てる場合に、そのスタンド脚にも転用し得る額縁の吊り具に関する。
【０００２】
【従来の技術】
額縁を壁に掛けるには、木製であるとフレームの裏側に吊り金具がビス止めされるが、金属製であると裏面にフレームのコーナー連結金具を挿入する蟻溝が開口されているので、その蟻溝を利用して吊り具が取り付けられる。この場合、吊り具をプラスチックで成形するのが一般的であって、弾性変形により着脱可能な取付けがなされる。
【０００３】
一方、従来、金属製の額縁をスタンド形態で使用する場合としては、フレームの蟻溝に前端で掛止し得る板状の支持具を使用し、他端を卓上に支えさせてスタンド状態を保持できるようにする提案がなされる（実開昭６１−１０５０７２号公報）。しかし、これには額縁を浮き上げて支持するスタンド脚は有しなく、また、壁には釘で止める穴が設けられているので、額縁を壁掛けできる機能を備えているが、紐等で吊るす所謂吊り具としての使用には適しなかった。
【０００４】
【発明が解決しようとする課題】
従来、吊り具を上記のように着脱可能にすると、取付けを強固とすると容易に取外しができなく、逆に取り外しやすくすると取付けが不安定となることになり、こういう相反する問題を解決することは非常に難しかった。まして、額縁の荷重がほぼ全体的に掛かるスタンド脚として使用するには、取付け強度の面で不安があり信頼性に欠け、また、肥大形状であるため額縁の裏側に仕舞うのには適しなかった。
【０００５】
この発明は、上記のような実情に鑑みて、額縁のフレームに簡単に取付け取外しができ、しかも、取付けが強固となり、支持棒の取付けによりスタンド脚にも不安なく使用し得るばかりか、額縁の裏側に仕舞うのに適し、また、吊り紐としてのボールチェーンを安定して掛け止めることができる額縁の吊り具を提供することを目的とした。
【０００６】
【課題を解決するための手段】
上記の目的を達成するために、この発明は、額縁のフレームに裏面に開口する蟻溝が形成され、その蟻溝に着脱可能に取り付けるプラスチック製の吊り具であって、額縁についてそれを卓上に立てるスタンド支持形態も取り得るように、額縁を後ろで支える支持棒を備えてなり、前記蟻溝に嵌入する掛止片に額縁の外周方向へ突出して吊り紐を掛け得る舌片が屈折して形成され、掛止片を蟻溝の外側開口縁片の先で垂下するとともに、先端部が反転して蟻溝の他側内面に接触する弾性変形可能な湾曲形状に形成し、その掛止片に外側面より突き出て蟻溝の外側開口縁片の下に引っ掛かる係合爪を設け、係合爪に円弧状に長く緩い下部逃げ角斜面と、短く急な上部逃げ角斜面を形成し、舌片に吊り紐を通す通し穴を設けるとともに、それを通しやすいよう大穴の上に小穴を有するダルマ形穴に形成し、少なくとも小穴について厚さ中間部が突条となるよう開き口を広く形成し、ダルマ形穴の頸部を突条からの突起により狭く形成し、吊り紐としてのボールチェーンのボールが納まるようにしてあって、さらに、掛止片の幅中央部に支持棒を取り付ける筒形の差込口を設けてあることを特徴とする額縁の吊り具を構成した。
【０００７】
【作用】
額縁の吊り具を上記のように構成したから、フレームに取り付けるときには、まず掛止片の先端を蟻溝に差し込んで蟻溝の内側開口縁片に引っ掛け、そこを支点として梃子の原理で舌片を押し下げる。そうすると、係合爪が長い湾曲した下部逃げ角斜面で外側開口縁片に擦れることにより、その時に掛止片を弾性変形させる倍力が働くため、少ない力で係合爪を外側開口縁片に引っ掛ける操作をなし得る。逆に、係合爪の上部逃げ角斜面が短い急な形状であるため、容易に外れることはない。また、蟻溝には内外両開口縁片を有するので、吊り具を使用しないときには、舌片を内側に向けた状態で取り付けて仕舞うことができるが、この場合、舌片の薄いスリム形状から、仕舞う納まりが良好となる。
【０００８】
また、舌片に通し穴を設けるとともに、通し穴をダルマ形穴に形成してあって、大穴から通して小穴に掛けることができるので吊り紐を取り付けやすい。しかも、小穴が椀形に広く開口されているため、吊り紐にボールチェーンを使用する場合、ボールがその椀形の凹みに収まり安定する。
【０００９】
また、舌片が額縁の外周側へ突出するので、額縁を卓上に立てるときのスタンド脚としても使用できる（図７）。この場合、支持する手段を特に問うものではないが、掛止片に支持棒を取り付ける差込口を設けてあるため、便利であり合理的である。また、こうすると、支持棒で額縁を後ろ傾斜に受ける力Ｖａで係合爪がますます外れがたくなる力Ｖｂが働くので、安定して額縁を支持できる（図３）。
【００１０】
【発明の効果】
以上説明したように、この発明の額縁の吊り具によれば、額縁のフレームにワンタッチ操作で容易に取り付け取外しができ、額縁に着用するときや、その裏側に仕舞うときのような取り扱いが簡便となり、また、納まりよく仕舞いやすい。しかも、取付けが強固となるので、額縁を安定して掛けることができるだけでなく、額縁を卓上に立てるときのスタンド脚としての使用にも適するという優れた効果がある。
【００１１】
【実施例】
次に、この発明の実施例を図面に基づいて説明する。
【００１２】
図面は一実施例を示したもので、その額縁の吊り具Ｐは、額縁Ｇのフレーム１の蟻溝３に突っ込む掛止片５に、額縁Ｇの外周側に突き出る舌片７がほぼ直角に屈折して設けられる。その屈折箇所には幅中央部において抜孔９が設けられ、抜孔９に隣接して掛止片５の中央にスタンド用支持棒１１の差込口１３を筒状に形成し、その筒状の裏側に係合爪１５が形成される。また、舌片７の先端部に吊り紐としてボールチェーン１７を掛け止める通し穴２１が設けられる。また、この通し穴２１には押ピン１８を通すこともある。さらに、掛止片５の幅中央部には半部を欠除する切欠２０を設けてある。
【００１３】
なお、額縁Ｇのフレーム１は、蟻溝３が開口される裏面に裏板２３の裏当片２５が内向して突設されており、作品２６を止める透明板２７が蟻溝３の底部と表面片２９との間に差し込まれる形態であるので、コーナ連結金具２８の一方の止ネジ３０を弛めて一端のフレーム１を取り外すことにより、作品２６の出し入れがなされるようになっている。
【００１４】
吊り具Ｐについては、掛止片５が舌片７に対して屈折して垂下しているが、下端部で反転して半円弧状に湾曲して形成されているので、蟻溝３に突っ込む際には舌片７を立てるように傾斜させ、図２の如く、湾曲の先端を先に入れて蟻溝３の内側開口縁片３１に掛けながら、そこを支点として舌片７を下ろすことによって係合爪１５を外側開口縁片３２に掛け止める。これで図３に示すように、取付けが完了する。なお、仕舞う場合にも同様の操作となり、このときは二点鎖線で示すように、舌片７がフレーム１の裏当片２５の上となる。
【００１５】
係合爪１５は、掛止片５の側面より突出しているが、押し込みに抗しない下部逃げ角斜面３３となっているので、掛止片５の弾性変形を経て外側開口縁片３２の下に引っかかる。また、上端に短い急な上部逃げ角斜面３４が形成されているので、舌片７を持ち上げると、図４に示すように、同じく掛止片５の弾性変形を伴って開口縁片３２から外れる。この場合、舌片７をその基端方向へ（矢印Ｙ）押すことにより掛止片５の弾性変形をさらに促すようにすると外れやすい。
【００１６】
通し穴２１は、大穴２１ａと先端側に隣接する小穴２１ｂとからなる所謂ダルマ穴であるが、小穴２１ｂが厚さ中間部で突条３５により形成され（図５，図９）、頸部が突条３５からの突起３７，３７により特に狭くされる。そこで、ボールチェーン１７を掛けるときには、大穴２１ａからボールを通しやすく、それから小穴２１ｂに移すが、小穴２１ｂの椀状開口にボールが落ち込んで安定して納まり狭い頸部からも外れ難い。図６は、こうして吊り具Ｐに掛けたボールチェーン１７により壁３９に額縁Ｇを掛けた状態を示す。
【００１７】
舌片７は、先端に向かって幅狭く形成し先端を湾曲させてあるので、一対において脚として用いたときに（図７）、それぞれが卓上４１に点接触となって安定する。また、この場合には、支持棒１１を差込口１３に突っ込むが、それが奥行きに狭くテーパに形成されているので（図９）、取付けが抜けないよう強固となる。また、このようなスタンド状態では、額縁Ｇの後ろ傾斜に支持棒１１が支持する力Ｖａは、係合爪１５を蟻溝３の外側開口縁片３２に掛かる方向Ｖｂに作用する（図３参照）。しかも、舌片７を持ち上げる場合とは違って、掛止片５の湾曲を狭める弾性変形をなさない。
【００１８】
また、通し穴２１は、額縁Ｇの外に出ているので、小穴２１ｂに押ピン１８を通し、それで止めて額縁Ｇを壁３９に掛けることもできる（図８）
【図面の簡単な説明】
【図１】  この発明の額縁の吊り具を額縁との関係で示す斜視図である。
【図２】  同吊り具を取り付け要領で示す額縁の一部断面図である。
【図３】  同吊り具を取り付けた状態で示す額縁の一部断面図である。
【図４】  同吊り具を取り外す要領で示す額縁の一部断面図である。
【図５】  吊り紐としてのボールチェーンのボールが通し穴に納まる状態を図１のＡ−Ａ矢視において示す吊り具の断面図である。
【図６】  同吊り具にボールチェーンを取り付けて額縁を壁に掛けた状態を示す側面図である。
【図７】  同吊り具をスタンド脚として使用し卓上に額縁を立てた状態を示す側面図である。
【図８】  同吊り具に押しピンを通して額縁を壁に垂直に掛けた状態を示す側面図である。
【図９】  同吊り具の平面図である。
【符号の説明】
Ｇ  額縁
Ｐ  額縁の吊り具
１  フレーム
３  蟻溝
５  掛止片
７  舌片
１１  支持棒
１３  差込口
１５  係合爪
１７  ボールチェーン
２１  通し穴
２１ａ  大穴
２１ｂ  小穴
３１  内側開口縁片
３２  外側開口縁片
３３  下部逃げ角斜面
３４  上部逃げ角斜面
３５  突条
３７  突起
【図１】
0003916224.tif 000002
【図２】
0003916224.tif 000003
【図３】
0003916224.tif 000004
【図４】
0003916224.tif 000005
【図５】
0003916224.tif 000006
【図６】
0003916224.tif 000007
【図７】
0003916224.tif 000008
【図８】
0003916224.tif 000009
【図９】
0003916224.tif 000010